(57)【要約】【課題】コンテンツを再生する端末装置の環境に合ったコンテンツを配信するサーバを提供する【解決手段】コンテンツ再生端末１０の周辺の環境パラメータを取得する環境パラメータ取得部３３と、環境パラメータに対応したエフェクトを施すエフェクト実行部３５と、上記エフェクトが施されたコンテンツを配信するコンテンツ配信部３６とを備えるコンテンツ配信サーバ３０。【選択図】図１
2014120888.tif 000002
【特許請求の範囲】
【請求項１】
エフェクトが施されたコンテンツを、コンテンツ再生端末に配信するコンテンツ配信サーバであって、
上記コンテンツ再生端末の周辺の環境パラメータを取得する環境パラメータ取得手段と、
取得した上記環境パラメータに対応したエフェクトを、上記コンテンツに施すエフェクト実行手段と、
上記エフェクトが施されたコンテンツを、上記コンテンツ再生端末に配信するコンテンツ配信手段と、を備えることを特徴とするコンテンツ配信サーバ。
【請求項２】
上記環境パラメータは、上記コンテンツ再生端末の前で、上記コンテンツ再生端末を規定時間以上、見た人数であることを特徴とする請求項１に記載のコンテンツ配信サーバ。
【請求項３】
上記コンテンツ再生端末の前で、上記コンテンツ再生端末を規定時間以上、見た人数が、予め定められた人数より多い場合に、上記エフェクト実行手段は、上記コンテンツのスライドの速度を遅くするエフェクト、上記コンテンツのズームの速度を遅くするエフェクト、および上記コンテンツのブリンクの周期を長くするエフェクトのうち少なくともいずれかを上記コンテンツに施すことを特徴とする請求項２に記載のコンテンツ配信サーバ。
【請求項４】
上記コンテンツ再生端末の前で、上記コンテンツ再生端末を規定時間以上、見た人数が、予め定められた人数より少ない場合に、上記エフェクト実行手段は、上記コンテンツのスライドの速度を速くするエフェクト、上記コンテンツのズームの速度を速くするエフェクト、および上記コンテンツのブリンクの周期を短くするエフェクトのうち少なくともいずれかを上記コンテンツに施すことを特徴とする請求項２に記載のコンテンツ配信サーバ。
【請求項５】
エフェクトが施されたコンテンツを、コンテンツ再生端末に配信するコンテンツ配信方法であって、
上記コンテンツ再生端末の周辺の環境パラメータを取得する環境パラメータ取得工程と、
取得した上記環境パラメータに対応したエフェクトを、上記コンテンツに施すエフェクト実行工程と、
上記エフェクトが施されたコンテンツを、上記コンテンツ再生端末に配信するコンテンツ配信工程と、を備えることを特徴とするコンテンツ配信方法。
【発明の詳細な説明】
【技術分野】
【０００１】
本発明は、取得した環境情報に応じたエフェクトを施したコンテンツを配信するコンテンツ配信サーバ、コンテンツ配信方法に関する。
【背景技術】
【０００２】
近年、端末装置に表示させるコンテンツを配信する際に、端末装置の環境によって表示させるコンテンツを変えて配信する技術が知られている。
【０００３】
特許文献１には、端末装置の現在位置情報もしくは現在時刻を検知し、文字の大きさ、ブリンク速度といった目立ち度を変えて広告情報を生成し、端末に配信するという方法が開示されている。しかし、この技術においては、端末装置の現在位置情報もしくは現在時刻に応じた目立ち度を事前にデータベースに記録するため、端末装置がある場所のリアルタイムの環境は考慮されないという問題点があった。そこで、端末装置の環境情報を指定した時間に自動的に取得し、コンテンツを作成する方法が、特許文献２に開示されている。
【０００４】
特許文献２において、ファイル作成端末は、マルチメディアコンテンツの作成に利用するテンプレートファイルを取得し、テンプレートファイルに含まれる取得タイミング情報によって指示された取得タイミングに従って環境情報を取得する。そして、取得した環境情報に基づいて自動的にマルチメディアコンテンツを作成する方法が開示されている。
【先行技術文献】
【特許文献】
【０００５】
【特許文献１】特開２００７−１９９３８２号公報（２００７年８月９日公開）
【特許文献２】特開２００４−２１４９１６号公報（２００４年７月２９日公開）
【発明の概要】
【発明が解決しようとする課題】
【０００６】
しかしながら、上述の特許文献２の技術は、環境情報を使ってコンテンツを作成するのであって、環境情報に応じてコンテンツを変更することはできない。また、コンテンツを端末にて作成するため、コンテンツを配信することができないという問題がある。
【０００７】
本発明は上記の問題点に鑑みてなされたものであり、その目的は、コンテンツを再生する端末装置の環境に合ったコンテンツを配信するサーバ、コンテンツ配信方法を提供することにある。
【課題を解決するための手段】
【０００８】
上記の課題を解決するために、本発明の一態様に係るコンテンツ配信サーバは、エフェクトが施されたコンテンツを、コンテンツ再生端末に配信するコンテンツ配信サーバであって、上記コンテンツ再生端末の周辺の環境パラメータを取得する環境パラメータ取得手段と、取得した上記環境パラメータに対応したエフェクトを、上記コンテンツに施すエフェクト実行手段と、上記エフェクトが施されたコンテンツを、上記コンテンツ再生端末に配信するコンテンツ配信手段と、を備えることを特徴とする。
【発明の効果】
【０００９】
本発明の一態様によれば、コンテンツ再生端末の周辺の環境パラメータに対応したエフェクトが施されたコンテンツを配信できる。したがって、コンテンツ再生端末が設置されている環境に合ったコンテンツを、コンテンツ再生端末に配信できるという効果を奏する。
【図面の簡単な説明】
【００１０】
【図１】本発明の実施形態１に係るコンテンツ配信システムの要部構成を示すブロック図である。
【図２】本発明の実施形態１に係るカメラによって人数を計測する様子を示す図である。
【図３】本発明の実施形態１に係る環境パラメータのデータベースを示す図である。
【図４】本発明の実施形態１に係るコンテンツ配信システムの処理の流れを示すフローチャートである。
【図５】本発明の実施形態１に係るエフェクトパラメータ設定部がエフェクトパラメータを設定する処理の流れを示すフローチャートである。
【図６】本発明の実施形態１に係るエフェクトパラメータの設定内容を示す図である。
【図７】本発明の実施形態１においてコンテンツにエフェクトが施された様子を示す図である。
【発明を実施するための形態】
【００１１】
〔実施形態１〕
以下、本発明の第１の実施の形態について説明する。
【００１２】
（コンテンツ配信システム１の構成）
図１は、本発明の実施形態１に係るコンテンツ配信システム１の要部構成を示すブロック図である。図１に示すように、コンテンツ配信システム１は、コンテンツ再生端末１０およびコンテンツ配信サーバ３０によって構成されている。コンテンツ再生端末１０とコンテンツ配信サーバ３０とは、ペアリングによって対応付けてあり、ネットワーク２を通じて互いに通信可能である。
【００１３】
コンテンツ配信サーバ３０は、コンテンツ再生端末１０が設置されている場所の周辺環境を表す環境パラメータを取得する。コンテンツ配信サーバ３０には、予め画像およびテロップといったコンテンツが保存されており、取得した環境パラメータに基づいて、それらの画像およびテロップにエフェクトを施す。そして、コンテンツ配信サーバ３０は、エフェクトを施したコンテンツをコンテンツ再生端末１０に配信し、コンテンツ再生端末１０は取得したコンテンツを再生表示する。
【００１４】
（コンテンツ再生端末１０の構成）
図１に示すように、コンテンツ再生端末１０は、端末通信部１１、コンテンツ表示部１２、人数計測部１３、明るさ計測部１４、およびＧＰＳ信号受信部１５を備えている。
【００１５】
端末通信部１１は、ネットワーク２に接続されており、コンテンツ配信サーバ３０との間でデータを送受信する。
【００１６】
コンテンツ表示部１２は、取得したコンテンツを表示する、液晶ディスプレイなどの表示デバイスである。
【００１７】
人数計測部１３は、外付けの距離センサ２１およびカメラ２２から距離画像を取得し、取得した距離画像から人の顔、顔がカメラを向いている時間、およびカメラと顔との距離を計測する。
【００１８】
明るさ計測部１４は、外付けの照度センサ２３から照度データを取得し、明るさを計測する。
【００１９】
ＧＰＳ信号受信部１５は、ＧＰＳによる位置情報の信号を受信する。
【００２０】
（コンテンツ配信サーバ３０の構成）
図１に示すように、コンテンツ配信サーバ３０は、サーバ通信部３１、コンテンツ保存部３２、環境パラメータ取得部３３（環境パラメータ取得手段）、エフェクトパラメータ設定部３４、エフェクト実行部３５（エフェクト実行手段）、およびコンテンツ配信部３６（コンテンツ配信手段）を備えている。
【００２１】
サーバ通信部３１は、ネットワーク２に接続されており、コンテンツ再生端末１０との間でデータを送受信する。
【００２２】
コンテンツ保存部３２には、画像やテロップといったコンテンツが保存されている。また、保存されているコンテンツには、どのエフェクトを施すかを示すエフェクト種別の情報も含まれている。エフェクト種別には、スライド、ズーム、およびブリンクがある。
【００２３】
環境パラメータ取得部３３は、コンテンツ再生端末１０が設置されている場所の周辺環境を表す環境パラメータを定期的に取得する。
【００２４】
エフェクトパラメータ設定部３４は、環境パラメータの値から、コンテンツにどのようにエフェクトを施すかを表すエフェクトパラメータを設定する。
【００２５】
エフェクト実行部３５は、コンテンツ保存部３２に保存されているコンテンツに、エフェクトパラメータの値に応じたエフェクトを施す。
【００２６】
コンテンツ配信部３６は、エフェクトが施されたコンテンツを、コンテンツ再生端末１０に配信する。
【００２７】
（人数を計測する方法）
図２は、本発明の実施形態１に係るカメラ２２によって人数を計測する様子を示す図である。カメラ２２によって撮影された映像と、距離センサ２１（不図示）によって検出された距離とから、人数計測部１３は、人の顔、顔がカメラを向いている時間、およびカメラ２２と顔との距離を計測する。計測した値は、環境パラメータとして、図３のデータベースに記録される。
【００２８】
図３は、本発明の実施形態１に係る環境パラメータのデータベースを示す図である。人数計測部１３が計測した人の顔は、通過した人数として、図３のデータベースに記録される。また、計測した顔がカメラを向いている時間は、規定時間以上、カメラを見ていた人数が、図３のデータベースに記録される。また、計測したカメラ２２と顔との距離は、近距離（１ｍ以内）、中距離（１〜３ｍ）、長距離（３ｍ以上）に分類され、図３のデータベースに記録される。また、図３のデータベースのＰｎ、Ｐｍ、Ｐｆ、Ｗｎ、Ｗｍ、およびＷｆは、以下を表している。
Ｐｎ：カメラの前近距離（１ｍ以内）を通過した人数
Ｐｍ：カメラの前中距離（１〜３ｍ）を通過した人数
Ｐｆ：カメラの前長距離（３ｍ以上）を通過した人数
Ｗｎ：Ｐｎのうち、カメラを規定時間以上見た人数
Ｗｍ：Ｐｍのうち、カメラを規定時間以上見た人数
Ｗｆ：Ｐｆのうち、カメラを規定時間以上見た人数
人数計測部１３は、定期的に距離画像を取得し、データベースには２時間ごとの環境パラメータを記録し、コンテンツ配信サーバ３０に送信する。環境パラメータのデータベースへの記録およびコンテンツ配信サーバ３０への送信のタイミングは、例えば、２：００になった時に、０：００〜２：００の間の環境パラメータをデータベースに記録し、その環境パラメータをコンテンツ配信サーバ３０に送信する。こうすることにより、コンテンツ配信サーバ３０は、コンテンツ再生端末１０のリアルタイムの環境パラメータを取得できる。
【００２９】
（コンテンツ配信システム１の処理）
図４は、本発明の実施形態１に係るコンテンツ配信システム１の処理の流れを示すフローチャートである。
【００３０】
まず、人数計測部１３は、環境パラメータの更新時間になったら、データベースに環境パラメータを記録し、端末通信部１１に出力する。端末通信部１１は、取得した環境パラメータを、ネットワーク２を通じてコンテンツ配信サーバ３０に送信する。
【００３１】
サーバ通信部３１は、コンテンツ再生端末１０が送信した環境パラメータをネットワーク２から受信し、環境パラメータ取得部３３に出力する（ステップＳ１）。
【００３２】
次に、環境パラメータ取得部３３は、取得した環境パラメータを、エフェクトパラメータ設定部３４に出力する。エフェクトパラメータ設定部３４は、取得した環境パラメータから、エフェクトパラメータを設定する（ステップＳ２）。エフェクトパラメータを設定する方法については、後述する。
【００３３】
続いて、エフェクトパラメータ設定部３４は、設定したエフェクトパラメータをエフェクト実行部３５に出力する。エフェクト実行部３５は、エフェクトパラメータを取得し、コンテンツ保存部３２から、エフェクトを施すコンテンツを取得する。エフェクト実行部３５は、取得したエフェクトパラメータの値に基づいて、取得したコンテンツにエフェクトを施す（ステップＳ３）。
【００３４】
そして、コンテンツ配信部３６は、エフェクトが施されたコンテンツを、コンテンツ再生端末１０に配信するため、サーバ通信部３１に出力する。サーバ通信部３１は、取得したコンテンツを、ネットワーク２を通じてコンテンツ再生端末１０に送信する（ステップＳ４）。
【００３５】
端末通信部１１は、コンテンツ配信サーバ３０が送信したコンテンツを、ネットワーク２から受信し、コンテンツ表示部１２へ出力する。コンテンツ表示部１２は、取得したコンテンツを表示する（ステップＳ５）。
【００３６】
（エフェクトパラメータの設定方法）
図５は、本発明の実施形態１に係るエフェクトパラメータ設定部３４がエフェクトパラメータを設定する処理の流れを示すフローチャートである。
【００３７】
まず、エフェクトパラメータ設定部３４は、環境パラメータであるＷｎ、Ｗｍ、およびＷｆの値を予め定めた閾値と比較し、コンテンツを見ている人が多いか否かを判定する（ステップＳ１１）。
【００３８】
ステップＳ１１において、「コンテンツを見ている人は多い」と判定された場合（ステップＳ１１：Ｙｅｓ）、エフェクトパラメータ設定部３４は、エフェクトを施す対象画像のエフェクト種別を取得する（ステップＳ１２）。そして、コンテンツを見ている人は多いので、取得したエフェクト種別において見やすくするエフェクトパラメータを設定する（ステップＳ１３）。
【００３９】
続いて、同様に、エフェクトを施す対象テロップのエフェクト種別を取得し（ステップＳ１４）、取得したエフェクト種別において見やすくするエフェクトパラメータを設定する（ステップＳ１５）。なお、見やすくするエフェクトパラメータについては、後述する。
【００４０】
次に、エフェクトパラメータ設定部３４は、Ｗｍの値を予め定めた閾値と比較し、コンテンツを中間距離から見ている人は多いか否かを判定する（ステップＳ１６）。
【００４１】
ステップＳ１６において、「コンテンツを中間距離から見ている人は多い」と判定された場合（ステップＳ１６：Ｙｅｓ）、エフェクトパラメータ設定部３４は、中間距離からでも見やすいように、テロップのフォントサイズを、例えば１．１倍にするなど、大きいサイズに設定する（ステップＳ１７）。
【００４２】
続いて、同様に、エフェクトパラメータ設定部３４は、Ｗｆの値を予め定めた閾値と比較し、コンテンツを遠い距離から見ている人は多いか否かを判定する（ステップＳ１８）。
【００４３】
ステップＳ１８において、「コンテンツを遠い距離から見ている人は多い」と判定された場合（ステップＳ１８：Ｙｅｓ）、エフェクトパラメータ設定部３４は、遠い距離からでも見やすいように、テロップのフォントサイズを、例えば１．２倍にするなど、大きいサイズに設定する（ステップＳ１９）。こうして、エフェクトパラメータ設定部３４の処理は終了する。
【００４４】
一方、ステップＳ１６において、「コンテンツを中間距離から見ている人は多くない」と判定された場合（ステップＳ１６：Ｎｏ）、エフェクトパラメータ設定部３４は、エフェクトパラメータを変更することなく、ステップＳ１８に進む。
【００４５】
また、ステップＳ１８において、「コンテンツを遠い距離から見ている人は多くない」と判定された場合（ステップＳ１８：Ｎｏ）、エフェクトパラメータ設定部３４は、エフェクトパラメータを変更することなく、処理を終了する。
【００４６】
一方、ステップＳ１１において、「コンテンツを見ている人は多くない」と判定された場合（ステップＳ１１：Ｎｏ）、エフェクトパラメータ設定部３４は、エフェクトを施す対象画像のエフェクト種別を取得する（ステップＳ２１）。そして、コンテンツを見ている人は少ないので、取得したエフェクト種別において目立たせるエフェクトパラメータを設定する（ステップＳ２２）。
【００４７】
続いて、同様に、エフェクトを施す対象テロップのエフェクト種別を取得し（ステップＳ２３）、取得したエフェクト種別において目立たせるエフェクトパラメータを設定する（ステップＳ２４）。なお、目立たせるエフェクトパラメータおよび読みやすくするエフェクトパラメータについては、後述する。
【００４８】
次に、エフェクトパラメータ設定部３４は、Ｐｍの値を予め定めた閾値と比較し、コンテンツ再生端末１０から中間距離を通っている人は多いか否かを判定する（ステップＳ２５）。
【００４９】
ステップＳ２５において、「コンテンツ再生端末１０から中間距離を通っている人は多い」と判定された場合（ステップＳ２５：Ｙｅｓ）、エフェクトパラメータ設定部３４は、中間距離の人からでも見えるように、テロップのフォントサイズを、例えば１．１倍にするなど、大きいサイズに設定する（ステップＳ２６）。
【００５０】
続いて、同様に、エフェクトパラメータ設定部３４は、Ｐｆの値を予め定めた閾値と比較し、コンテンツ再生端末１０から遠い距離を通っている人は多いか否かを判定する（ステップＳ２７）。
【００５１】
ステップＳ２７において、「コンテンツ再生端末１０から遠い距離を通っている人は多い」と判定された場合（ステップＳ２７：Ｙｅｓ）、エフェクトパラメータ設定部３４は、遠い距離からでも見えるように、テロップのフォントサイズを、例えば１．２倍にするなど、大きいサイズに設定する（ステップＳ２８）。こうして、エフェクトパラメータ設定部３４の処理は終了する。
【００５２】
一方、ステップＳ２５において、「コンテンツ再生端末１０から中間距離を通っている人は多くない」と判定された場合（ステップＳ２５：Ｎｏ）、エフェクトパラメータ設定部３４は、エフェクトパラメータを変更することなく、ステップＳ２７に進む。
【００５３】
また、ステップＳ２７において、「コンテンツ再生端末１０から遠い距離を通っている人は多くない」と判定された場合（ステップＳ２７：Ｎｏ）、エフェクトパラメータ設定部３４は、エフェクトパラメータを変更することなく、処理を終了する。
【００５４】
（エフェクトパラメータの設定内容）
図６は、本発明の実施形態１に係るエフェクトパラメータの設定内容を示す図である。
【００５５】
図５において、エフェクトパラメータに、目立たせるエフェクトパラメータ、見やすくするエフェクトパラメータ、および読みやすくするエフェクトパラメータを設定した。具体的には、図６に示すように、例えば、エフェクトを施す対象の画像のエフェクト種別がスライドで、目立たせるエフェクトパラメータを設定する場合は、スライドする速度を速くする。同様に、例えば、エフェクトを施す対象のフォントがズームで、読みやすくするエフェクトパラメータを設定する場合は、ズームの速度を遅くする。
【００５６】
（エフェクトを施されたコンテンツ）
図７は、本発明の実施形態１においてコンテンツにエフェクトが施された様子を示す図である。
【００５７】
図７に示すように、対象画像４２および対象テロップ４３にエフェクトが施される。ここで、コンテンツ表示部１２において表示されるのは、表示エリア４１である。対象画像４２は、スライドのエフェクトが施された場合、矢印４４のようにスライドする。また、ズームのエフェクトが施された場合、矢印４５のように対象画像４２が大きくなり、表示エリア４１の画像はズームする。対象テロップ４３にも、同様のエフェクトが施される。
【００５８】
このように、コンテンツ再生端末１０の周辺の人通りを環境パラメータとして、コンテンツ配信サーバ３０はエフェクトパラメータを設定し、エフェクトを施したコンテンツを配信する。こうすることにより、コンテンツ再生端末１０の周辺の人通りが多い時間帯には、人の目を引くように目立つエフェクトを施し、人通りが少ない時間帯には、見やすく読みやすいエフェクトを施したコンテンツを、コンテンツ再生端末１０に配信できる。
【００５９】
〔実施形態２〕
本発明の第２の実施形態について説明する。なお、説明の便宜上、実施形態１にて説明した部材と同じ機能を有する部材については、同じ符号を付記し、その説明を省略する。
【００６０】
図１に示すように、コンテンツ再生端末１０は、外付けの照度センサ２３と、明るさ計測部１４とを備えている。明るさ計測部１４は、外付けの照度センサ２３から照度データを取得し、明るさを計測する。計測された明るさを環境パラメータとして、コンテンツ配信サーバ３０に送信することにより、コンテンツ配信サーバ３０は、明るさに応じたエフェクトを施したコンテンツを配信する。
【００６１】
（明るさに対応したエフェクトパラメータ）
エフェクトパラメータ設定部３４は、取得した明るさに応じて、エフェクトパラメータを設定する。例えば、明るさが暗い場合、テロップのサイズを大きくすることにより、目立って読みやすいコンテンツを配信できる。
【００６２】
また、プルキニェ現象により、明るい場所では赤が鮮やかに遠くまで見え、青は黒ずんで見える。一方、暗い場所では青が鮮やかに遠くまで見えるのに対して、赤は黒ずんで見える。この現象を利用して、明るさが暗い場合、テロップの文字色を青っぽくすることにより、コンテンツを目立たせることできる。また、明るさが明るい場合、テロップの文字色を赤っぽくすることにより、コンテンツを目立たせることができる。
【００６３】
このように、コンテンツ再生端末１０の周辺の明るさを環境パラメータとして、コンテンツ配信サーバ３０はエフェクトパラメータを設定し、エフェクトを施したコンテンツを配信する。こうすることにより、コンテンツ再生端末１０の周辺の明るさに応じた、目立って読みやすいコンテンツをコンテンツ再生端末１０に表示できる。
【００６４】
〔実施形態３〕
本発明の第３の実施形態について説明する。なお、説明の便宜上、実施形態１にて説明した部材と同じ機能を有する部材については、同じ符号を付記し、その説明を省略する。
【００６５】
図１に示すように、コンテンツ再生端末１０は、ＧＰＳ信号受信部１５を備えている。ＧＰＳ信号受信部１５は、ＧＰＳによる位置情報の信号を受信する。取得した位置情報をコンテンツ配信サーバ３０に送信し、コンテンツ配信サーバ３０は、取得した位置情報の現在の気象情報を取得し、環境パラメータとする。コンテンツ配信サーバ３０は、取得した気象情報から、天気に応じたエフェクトを施し、コンテンツを配信する。
【００６６】
（天気に対応したエフェクトパラメータ）
環境パラメータ取得部３３は、コンテンツ再生端末１０から位置情報を取得し、取得した位置情報から、現在の気象情報を取得する。この取得した気象情報を、環境パラメータとする。環境パラメータは雨、曇り、および晴れの３パターンに分類する。それ以外の、例えば雪は、雨とする。
【００６７】
エフェクトパラメータ設定部３４は、天気に応じて、エフェクトパラメータを設定する。例えば、天気が曇りの場合、テロップのサイズを少し大きくすることにより、目立って読みやすくなる。また、天気が雨の場合、テロップのサイズを天気が曇りの場合より大きくすることにより、目立って読みやすくなる。
【００６８】
このように、コンテンツ再生端末１０が設置されている場所の現在の気象情報を環境パラメータとして、コンテンツ配信サーバ３０はエフェクトパラメータを設定し、エフェクトを施したコンテンツを配信する。こうすることにより、コンテンツ再生端末１０が設置されている場所の天気に応じた、目立って読みやすいコンテンツをコンテンツ再生端末１０に表示できる。
【００６９】
〔ソフトウェアによる実現例〕
コンテンツ配信サーバ３０の各ブロックは、集積回路（ＩＣチップ）等に形成された論理回路（ハードウェア）によって実現してもよいし、ＣＰＵ（Central Processing Unit）を用いてソフトウェアによって実現してもよい。
【００７０】
後者の場合、コンテンツ配信サーバ３０の各ブロックは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７１】
〔まとめ〕
本発明の態様１に係るコンテンツ配信サーバは、エフェクトが施されたコンテンツを、コンテンツ再生端末に配信するコンテンツ配信サーバであって、上記コンテンツ再生端末の周辺の環境パラメータを取得する環境パラメータ取得手段（環境パラメータ取得部３３）と、取得した上記環境パラメータに対応したエフェクトを、上記コンテンツに施すエフェクト実行手段（エフェクト実行部３５）と、上記エフェクトが施されたコンテンツを、上記コンテンツ再生端末に配信するコンテンツ配信手段（コンテンツ配信部３６）と、を備えることを特徴とする。
【００７２】
上記の構成によれば、コンテンツ再生端末が設置されている環境に合ったコンテンツを、コンテンツ再生端末に配信できる。
【００７３】
本発明の態様２に係るコンテンツ配信サーバでは、上記環境パラメータは、上記態様１において、上記コンテンツ再生端末の前で、上記コンテンツ再生端末を規定時間以上、見た人数であることが好ましい。
【００７４】
上記の構成によれば、コンテンツ再生端末を見ている人数に応じたコンテンツを配信できる。
【００７５】
本発明の態様３に係るコンテンツ配信サーバは、上記態様２において、上記コンテンツ再生端末の前で、上記コンテンツ再生端末を規定時間以上、見た人数が、予め定められた人数より多い場合に、上記エフェクト実行手段は、上記コンテンツのスライドの速度を遅くするエフェクト、上記コンテンツのズームの速度を遅くするエフェクト、および上記コンテンツのブリンクの周期を長くするエフェクトのうち少なくともいずれかを上記コンテンツに施すことが好ましい。
【００７６】
上記の構成によれば、コンテンツ再生端末を見ている人数が多い場合は、見やすく読みやすいコンテンツを配信できる。
【００７７】
本発明の態様４に係るコンテンツ配信サーバは、上記態様２において、上記コンテンツ再生端末の前で、上記コンテンツ再生端末を規定時間以上、見た人数が、予め定められた人数より少ない場合に、上記エフェクト実行手段は、上記コンテンツのスライドの速度を速くするエフェクト、上記コンテンツのズームの速度を速くするエフェクト、および上記コンテンツのブリンクの周期を短くするエフェクトのうち少なくともいずれかを上記コンテンツに施すことが好ましい。
【００７８】
上記の構成によれば、コンテンツ再生端末を見ている人数が少ない場合は、目立つコンテンツを配信できる。
【００７９】
本発明の態様５に係るコンテンツ配信サーバでは、上記環境パラメータは、上記態様１において、上記コンテンツ再生端末から一定距離以上離れて上記コンテンツ再生端末の前を通過した人数であることが好ましい。
【００８０】
上記の構成によれば、コンテンツ再生端末からの距離に応じたコンテンツを配信できる。
【００８１】
本発明の態様６に係るコンテンツ配信サーバでは、上記エフェクト実行手段は、上記態様５において、上記コンテンツ再生端末から一定距離以上離れて上記再生端末の前を通過した人数が、予め定められた人数より多い場合に、上記一定距離が遠いほど、上記コンテンツの倍率を高くするエフェクトを上記コンテンツに施すことが好ましい。
【００８２】
上記の構成によれば、コンテンツ再生端末からの距離が遠い場所に人が多い場合は、その距離に応じて、大きさを変更したコンテンツを配信できる。
【００８３】
本発明の態様７に係るコンテンツ配信方法は、エフェクトが施されたコンテンツを、コンテンツ再生端末に配信するコンテンツ配信方法であって、上記コンテンツ再生端末の周辺の環境パラメータを取得する環境パラメータ取得工程と、取得した上記環境パラメータに対応したエフェクトを、上記コンテンツに施すエフェクト実行工程と、上記エフェクトが施されたコンテンツを、上記コンテンツ再生端末に配信するコンテンツ配信工程と、を備えることが好ましい。
【００８４】
上記の構成によれば、コンテンツ再生端末が設置されている環境に合ったコンテンツを、コンテンツ再生端末に配信できる。
【００８５】
本発明の態様８に係るコンテンツ配信システムは、上記態様１から６におけるコンテンツ配信サーバと、上記コンテンツ配信サーバによって配信されたコンテンツを再生するコンテンツ再生端末とを備えていることが好ましい。
【００８６】
上記の構成によれば、コンテンツ再生端末が設置されている環境に合ったコンテンツを、コンテンツ再生端末に配信するコンテンツ配信システムを実現できる。
【００８７】
本発明の各態様に係るコンテンツ配信サーバは、コンピュータによって実現してもよい。この場合、コンピュータを上記各手段として動作させることにより上記コンテンツ配信サーバをコンピュータにおいて実現するプログラム、およびそれを記録したコンピュータ読み取り可能な記録媒体も、本発明の範疇に入る。
【００８８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８９】
本発明は、サイネージ動画を配信するサーバなどにおいて、幅広く利用できる。
【符号の説明】
【００９０】
１  コンテンツ配信システム
２  ネットワーク
１０  コンテンツ再生端末
１１  端末通信部
１２  コンテンツ表示部
１３  人数計測部
１４  明るさ計測部
１５  ＧＰＳ信号受信部
２１  距離センサ
２２  カメラ
２３  照度センサ
３０  コンテンツ配信サーバ
３１  サーバ通信部
３２  コンテンツ保存部
３３  環境パラメータ取得部（環境パラメータ取得手段）
３４  エフェクトパラメータ設定部
３５  エフェクト実行部（エフェクト実行手段）
３６  コンテンツ配信部（コンテンツ配信手段）
【図１】
2014120888.tif 000003
【図２】
2014120888.tif 000004
【図３】
2014120888.tif 000005
【図４】
2014120888.tif 000006
【図５】
2014120888.tif 000007
【図６】
2014120888.tif 000008
【図７】
2014120888.tif 000009